(57)【要約】
【課題】　裁縫作業に必要な用具や材料など機能的な取出しや収納を可能になしたソーイング収納袋の提供。
【解決手段】　柔軟性のある芯地体の表裏面を布地で被覆し、縦、横、高さ寸法が夫々れ凡そ１０ｃｍ〜２０ｃｍ、２０ｃｍ〜４０ｃｍ、２０ｃｍ〜４５ｃｍで上方を開口して立設する袋体を作成し、且つ該袋体の内周壁面に鋏み、カッター、目打ち、ゴム通し、ペン、チャコ等の各種裁縫用具を収納可能にする複数個のポケットを取付け、上方から取出せるようになすほか、該袋体の開口上縁部付近に於ける対向箇所に対し一対の手提げ紐を取付けしめる。
【選択図】　　　図１
0003099136.tif 000002
【実用新案登録請求の範囲】
【請求項１】
　柔軟性のある芯地体の表裏面を布地で被覆し、縦、横、高さ寸法が夫々れ凡そ１０ｃｍ〜２０ｃｍ、２０ｃｍ〜４０ｃｍ、２０ｃｍ〜４５ｃｍで上方を開口して立設する袋体を作成し、且つ該袋体の内周壁面に鋏み、カッター、目打ち、ゴム通し、ペン、チャコ等の各種裁縫用具を収納可能にする複数個のポケットを取付け、上方から取出せるようになすほか、該袋体の開口上縁部付近に於ける対向箇所に対し一対の手提げ紐を取付けしめたことと特徴とするソーイングバスケット。
【請求項２】
　複数個のポケットは、裁縫用具が単独に収納されるものとなしたことを特徴とする請求項１記載のソーイングバスケット。
【請求項３】
　複数個のポケットは、裁縫用具が垂直な上方からの出し入れ収納を可能ならしめる構成となしたことを特徴とする請求項１又は２記載のソーイングバスケット。
【請求項４】
　袋体の中央内部へ糸巻き、縫製材料布地や型紙類などを収納可能となしたことを特徴とする請求項１，２又は３記載のソーイングバスケット。
【請求項５】
　芯地材として合成樹脂製の果物用籠を使用したことを特徴とする請求項１〜４の何れか１つに記載したソーイングバスケット。
【考案の詳細な説明】
【技術分野】
【０００１】
　本考案は、裁縫用具を収納するソーイングバスケットに関するものである。
【背景技術】
【０００２】
　従来、ハサミや針等の裁縫用具を収納するものとして、プラスチック製で箱形の裁縫箱や、木製で引き出しの付いた裁縫箱等が使用されていた。
【特許文献１】特開２００１−１９８３８３
【考案の開示】
【考案が解決しようとする課題】
【０００３】
　しかしながら、従来の木製のものは重く、持ち運びの際に不便であるほか、収納物は特定の制限されるものとならない。従って、被対象物の布地などについては別途の対応が必要となり、裁縫教室等に持って出かける際には、別の鞄や袋等を用意しなければならなかった。
　そこで、本考案は、係る問題点を解決すべく、裁縫途中の布地等を収納でき、持ち運び等に便利なソーイングバスケットの提供を目的とするものである。
【課題を解決するための手段】
【０００４】
　本考案に係るソーイングバスケットは、柔軟性のある芯地体の表裏面を布地で被覆し、縦、横、高さ寸法が夫々れ凡そ１０ｃｍ〜２０ｃｍ、２０ｃｍ〜４０ｃｍ、２０ｃｍ〜４５ｃｍで上方を開口して立設する袋体を作成し、且つ該袋体の内周壁面に鋏み、カッター、目打ち、ゴム通し、ペン、チャコ等の各種裁縫用具を収納可能にする複数個のポケットを取付け、上方から取出せるようになすほか、該袋体の開口上縁部付近に於ける対向箇所に対し一対の手提げ紐を取付けしめた構成にする。
　このさい、複数個のポケットは裁縫用具が単独に収納されるものとなしたり、そのさい裁縫用具が垂直な上方からの出し入れ収納を可能ならしめる構成となすのである。而して袋体の中央内部には糸巻き、縫製材料布地や型紙類などを収納可能となすのである。
【考案の効果】
【０００５】
　本考案は、以上の通り構成するものであって、ソーイングバスケットの上部が開口した状態で自立するものとなっており、且つ側部の内側袋地に裁縫用具を収納するポケットを有するため、裁縫用具及び裁縫途中の布地等の出し入れがし易い。而して、裁縫教室などに出かける際には、そのまま持ち運ぶことができるのであり、また保管する場合には、そのまま棚の上に置いたり、或いはフックなどに吊り下げておくことも出来て、大変便利である。
【考案を実施するための最良の形態】
【０００６】
　以下、図面に示す考案を実施するための最良の形態について説明する。
　図１は本考案に係るソーイングバスケットの一部切り欠いた斜視図で、図２は平面図で、図３、図４、図５、図６は裁縫用具を収納するポケットの説明図である。
【０００７】
　本考案に係るソーイングバスケット１は、柔軟性のある芯地体２の表、裏面を布地３で被覆し、縦Ｗ、横Ｌ、高さｈを夫々れ凡そ１０ｃｍ〜２０ｃｍ、２０ｃｍ〜４０ｃｍ、２０ｃｍ〜４５ｃｍで上方を開口して立設する袋体に作成し、且つ該袋体の内周壁面ｍに鋏み、カッター、目打ち、ゴム通し、ペン、チャコ等の各種裁縫用具を収納可能にする複数個の各種ポケット４，５，６，７，８，・・・を取付け、上方からこれらが取出せるようにするのである。
【０００８】
　このさい、これらのポケットは裁縫用具の取出しや収納時の便利性を考え、垂直な上方からの出し入れが可能となるように、夫々れの挿入口が上方に向かって開放されているように取付けたものとなしてある。なお、図面で１０，１０は袋体の開口上縁部付近に於ける対向箇所に対して取付けたものとなしてある一対の手提げ紐である。
【０００９】
　本考案に於いて芯地体２は柔軟性を持ちながら、袋体全体を常時上方に向けての開放口が安定的に保持されるようになすためのもので、このような性質を備えたものであればいろいろなものが使用されるが、とりわけ合成樹脂製の果物籠が好適である
　上記芯地体２は合成樹脂製の果物籠の外に、肉厚の不織布や紙材などを使用して製品化しても良いが、上記した果物籠は果物を入れて販売された使用済みのものを再利用することができる上で、入手が容易であり製品価額の低減化に寄与できるものとなる。
【００１０】
　図３〜図６は各種のポケットを示すものであり、ここに図３のポケット４は円筒状の用具を、図４に於けるポケット５，６は上記円筒状以外の主として平板状をなした用具を、図５及び図６に示したポケット７，８は全体的に細長い形状の用具を収納するのに適するものとなる。
【００１１】
　本考案に於いて袋体１の内方には、上記した如き裁縫用具の外に、各種の糸や糸巻き及び縫製用布地などが簡便に収納可能とする空間の形成されたものとなっているのであり、従って随時に糸類や縫製材料の布地或いは型紙などの縫製作業で必要とする全てのものを含めて収納可能にできるのである。
【００１２】
　上記のことは、本考案に係るソーイングバスケットの１個で凡そ裁縫作業の管理機能が果たせることのできるものとなる。例えば裁縫教室への行き帰りは勿論のこと、教室や家庭内での作業中もその身近に置いて便利に使用することができるものとなる。とりわけ、裁縫材料を色々と展開して作業中のさい、急な片付けを必要とすることが生じた場合には、上向きに立設されているバスケットの開放口に対しこれら散乱している材料を、容易且つ迅速に収納して片付けすることのできる上で大変便利である。
【図面の簡単な説明】
【００１３】
【図１】本考案に係るソーイングバスケットの一部切り欠いた斜視図である。
【図２】図１の平面図である。
【図３】裁縫用具を収納するポケットの説明図である。
【図４】裁縫用具を収納するポケットの説明図である。
【図５】裁縫用具を収納するポケットの説明図である。
【図６】裁縫用具を収納するポケットの説明図である。
【符号の説明】
【００１４】
　１　　　ソーイングバスケット
　２　　　芯地体
　３　　　布地
　４　　　ポケット
　５　　　ポケット
　６　　　ポケット
　７　　　ポケット
　８　　　ポケット
　１０　　手提げ紐
【図１】
0003099136.tif 000003
【図２】
0003099136.tif 000004
【図３】
0003099136.tif 000005
【図４】
0003099136.tif 000006
【図５】
0003099136.tif 000007
【図６】
0003099136.tif 000008